(57)【特許請求の範囲】
【請求項１】
側面全周にわたって縦方向に向かう外周壁１２を備える下部容器１と、
この下部容器１の上部に下部容器１の上方を覆うように取り付ける下部を開口する上部カバー２と、
からなり、
下部容器１における外周壁１２の上部外側と上部カバー２における下部内側との間において水平方向の間隙Ｓを形成し、この下部容器１と上部カバー２との間に形成した間隙Ｓを、飛翔昆虫類が内部に侵入するための侵入口３にすると共に、下部容器１の外周壁１２に上下に向かう縦溝１３を周方向にわたって多数設けて外周壁１２の表面を波型にすることのより、下部容器１の外周壁１２に着地した飛翔昆虫類を、飛翔昆虫類の性質である負の走地性を利用して、表面を波型にした外周壁１２に沿って上方に移動させ、外周壁１２の上部外側に設けた侵入口３より内部に引き入れるようにしたことを特徴とする飛翔昆虫類捕獲器。
【請求項２】
前記侵入口３にあっては、下部容器１における外周壁１２の上部外側全周にわたって設けたことを特徴とする請求項１記載の飛翔昆虫類捕獲器。
【発明の詳細な説明】
【技術分野】
【０００１】
本発明は、ハエやハチ等の飛翔昆虫類を捕獲するために用いられる飛翔昆虫類捕獲器に関する。
【背景技術】
【０００２】
飛翔昆虫類、例えばハエを駆除するには、内部に殺虫剤を充填したエアゾールを用いて、駆除するハエに殺虫剤を噴霧して、これを駆除するのが一般的な手法であった。
【０００３】
しかしながら、このエアゾールを用いたハエの駆除にあっては、いろいろな制約を受けるおそれがあり、これは、ハエ等が多く発生する食品や食器類のある台所付近では、エアゾールより噴霧した殺虫剤が食品や食器類に付着してしまうといった問題があり、これにより、食品や食器類のある台所付近での使用を控えているのが実情であった。
【０００４】
このため、エアゾールによる殺虫剤の噴霧といった手法に代わって、ハエ取りリボンやハエ取り紙等を用いて、これらにハエを粘着させて捕獲する手法が考えられるが、このハエ取りリボンやハエ取り紙等では、どうしても粘着剤で捕獲したハエの死骸等が剥き出しのままとなり、使用中、使用者に不快感を与えるといった問題があり、しかも、粘着剤が露出しているので、使用者の手や衣服等に当該ハエ取りリボンやハエ取り紙等がくっついてしまうといったことがあり、取扱いに注意を払う必要があった。
【０００５】
そこで、ハエ取りリボンやハエ取り紙等に代わって、捕獲器が普及しつつある。この捕獲器としては、例えば、特開２００３−７０４０３号公報に記載されているように、球体状の容器において、その上部と下部とに害虫であるハエ等が侵入可能な小穴と大穴とを設けると共に、内部にハエ等を誘引して殺す作用を有する誘引殺虫剤を収納する。これによって、内部に収納した誘引殺虫剤の臭気が上下の小穴と大穴とから外部に放散され、この臭気に誘われて、小穴あるいは大穴よりハエ等が容器の内部に引き入れられる。そして、容器の内部に引き入れられたハエ等が内部において誘引殺虫剤に触れることで死ぬようになっていた。
【特許文献１】特開２００３−７０４０３号公報
【発明の開示】
【発明が解決しようとする課題】
【０００６】
しかしながら、従来の捕獲器にあっては、ハエ等の誘引を、容器の内部に収納した誘引殺虫剤の臭気によって行うため、この誘引殺虫剤の臭気が弱いと、ハエ等を全く誘引することができないといった問題が起こり、また逆に、誘引殺虫剤の臭気を強くすると、今度は誘引殺虫剤の臭気を人間である使用者も嗅ぐことになり、使用者が不快感を覚えるといった問題が起こる。このため、単に容器に穴を開けて、ここより容器の内部に収納した誘引殺虫剤の臭気を放散して、この誘引殺虫剤の臭気のみによってハエ等を容器の内部に引き入れる、要するにハエ等を誘引し捕獲するには限界があった。
【０００７】
そこで、本発明は、このような問題の解消、すなわち、ハエやハチ等の飛翔昆虫類を良好に誘引し捕獲することができる飛翔昆虫類捕獲器を提供することを、その課題とする。
【課題を解決するための手段】
【０００８】
第一の発明は、側面全周にわたって縦方向に向かう外周壁を備える下部容器と、この下部容器の上部に下部容器の上方を覆うように取り付ける下部を開口する上部カバーと、からなり、下部容器における外周壁の上部外側と上部カバーにおける下部内側との間において水平方向の間隙を形成し、この下部容器と上部カバーとの間に形成した間隙を、飛翔昆虫類が内部に侵入するための侵入口にすると共に、下部容器の外周壁に上下に向かう縦溝を周方向にわたって多数設けて外周壁の表面を波型にすることのより、下部容器の外周壁に着地した飛翔昆虫類を、飛翔昆虫類の性質である負の走地性を利用して、表面を波型にした外周壁に沿って上方に移動させ、外周壁の上部外側に設けた侵入口より内部に引き入れるようにした飛翔昆虫類捕獲器である。
【０００９】
第二の発明は、第一の発明において、侵入口にあっては、下部容器における外周壁の上部外側全周にわたって設けた飛翔昆虫類捕獲器である。
【発明の効果】
【００１０】
本発明によれば、下部容器において、側面全周にわたって備えた縦方向に向かう外周壁に着地したハエやハチ等の飛翔昆虫類を、飛翔昆虫類における負の走地性を利用して、外周壁に沿って上方に移動させ、外周壁の上部外側に設けた侵入口より内部に引き入れることにより、下部容器と上部カバーの内部にハエやハチ等の飛翔昆虫類を良好に誘引し捕獲することができ、単に容器に穴を開けて、ここより誘引殺虫剤の臭気を放散して、この誘引殺虫剤の臭気によってハエやハチ等の飛翔昆虫類を容器の内部に引き入れる従来のものと比べて、ハエやハチ等の飛翔昆虫類の捕獲率を飛躍的に向上させることができる。
【発明を実施するための最良の形態】
【００１１】
本発明による飛翔昆虫類捕獲器の第一の実施形態について説明する。
【００１２】
飛翔昆虫類捕獲器としては、図１、図２、図３、図４、図５に示すように、上部を開口する中空の円柱形状の下部容器１と、この下部容器１の上部に下部容器１の上方を覆うように取り付ける下部を開口する中空の円柱形状の上部カバー２と、からなる。
【００１３】
この下部容器１にあっては、円形の底面壁１０を備えて、この底面壁１０の縁より縦方向に向かう円筒状の内周壁１１を立設し、この内周壁１１の上端において接続して内周壁１１の外側に配置する縦方向に向かう略円筒状の外周壁１２を設ける。すなわち、下部容器１は、その上部を大きく開口すると共に、側面全周にわたって外周壁１２を備える。そして、この下部容器１の外周壁１２は、上部に向かって少し内側に向くように傾斜を付けており、その表面全体には多数の縦溝１３を周方向にわたって連続して設けて、表面を波形にする。
【００１４】
また、下部容器１の内部中央には細長い円筒状の支柱１４を立設すると共に、内部の底面壁１０上には円形リング状の薬剤含浸マット１５を載置する。この薬剤含浸マット１５は例えば不織布であって、この薬剤含浸マット１５に誘引剤と殺虫剤とを含浸させている。
【００１５】
一方、上部カバー２にあっては、円筒状の周壁２０を備えて、この周壁２０の上端に上面壁２１を設ける。すなわち、上部カバー２は、その下部を大きく開口する。そして、この上部カバー２の周壁２０は、上部に向かって少し内側に向かうように傾斜を付けると共に、上部カバー２の上面壁２１は、窪んだすり鉢状にし、その外側に周方向にわたって複数の上部侵入口２２を設ける。また、この上面壁２１の中央下部に下部容器１の支柱１４の上端に嵌合する円筒状の嵌合部２４を備える。
【００１６】
そして、このような下部容器１と上部カバー２において、下部容器１の上部に上部カバー２を取り付けた際、この下部容器１における外周壁１２の上部外側と上部カバー２における周壁２０の下部内側との間において水平方向の間隙Ｓを、外周壁１２の外側全周にわたって形成する。そして、この下部容器１と上部カバー２との間に形成した間隙Ｓを、飛翔昆虫類が内部に侵入するための侵入口３とする。すなわち、下部容器１における外周壁１２の上部外側全周にわたって侵入口３を設ける。
【００１７】
なお、この侵入口３である間隙Ｓの寸法は、捕獲する飛翔昆虫類によって多少異なるものの、コバエ等のハエ等であれば、３乃至４ｍｍ以上１０ｍｍ以下が好ましく、ハチ等であれば、１０ｍｍ以上２０ｍｍ以下が好ましい。侵入口３において、このような間隙Ｓの寸法にしたことにより、ハエ等あるいはハチ等が侵入口３より内部に侵入する際は下部容器１の外周壁１２を這い上がってくることで、容易に内部に侵入するようになるが、一旦内部に入ったハエ等あるいはハチ等は内部で飛び回るため、この侵入口３より外部に出ることはできない。また、たとえ上部カバー２の周壁２０に止っても、後述する飛翔昆虫類における負の走地性により下方へは移動しないので、侵入口３より外部に出ることはない。
【００１８】
また、この下部容器１と上部カバー２において、コバエ等のハエ等を対象にするのであれば、全体の高さ寸法を１００ｍｍ程度とし、下部容器１及び上部カバー２の外径寸法を７０ｍｍ以上にすると共に、下部容器１の高さ寸法を３５ｍｍ以上とし、下部容器１における外周壁１２において、上部カバー２と重なり合う箇所を除いた表面に現れる箇所の高さ寸法を３０ｍｍ以上とするのが好ましい。
【００１９】
さらに、下部容器１と上部カバー２の色については、下部容器１は、その色を黒色とし、上部カバー２は、その色を乳白色で内部が少し透けて見える半透明とする。なお、この色については、前記の色に限定されるものではなく、下部容器１は、こげ茶色や黒色等の濃い色であれば良く、また、上部カバー２は、乳白色を含む白色等の淡い色であれば良い。
【００２０】
このような構成としたことで、コバエ等のハエを捕獲する場合、当該飛翔昆虫類捕獲器を台所等の室内の所定場所に載置しておくと、飛び回っているハエが下部容器１の外周壁１２に着地する。このとき、淡い色の上部カバー２に対して下部容器１を濃い色にすることにより、ハエを下部容器１の外周壁１２に良好に引き寄せて着地させることができる。
【００２１】
そして、下部容器１の外周壁１２に着地したハエは、ハエやハチ等の飛翔昆虫類における負の走地性により、外周壁１２を上方に向かって移動して、この外周壁１２の上部外側全周にわたって設けた侵入口３から、下部容器１と上部カバー２との内部に入り込むようになる。なお、負の走地性とは、飛翔昆虫類等において、重力に逆らって上方に向かって移動する性質のことである。なお、下部容器１の外周壁１２の表面を波形にすることにより、この負の走地性の作用をより一層高めることができる。
【００２２】
下部容器１と上部カバー２との内部に入り込んだハエは、その内部において飛び回るが、しばらくすると、内部の底面壁１０上に載置した薬剤含浸マット１５に誘引され、これに触れて死ぬようになる。
【００２３】
このように当該飛翔昆虫類捕獲器にあっては、下部容器１と上部カバー２との内部にハエを誘引し捕獲することで、台所付近等にいるハエを駆除することができる。しかも、上部カバー２に上部侵入口２２を設けたことにより、この上部侵入口２２からもハエが内部に入り込むようになっており、これによってもハエを捕獲することができる。
【００２４】
以上のように、下部容器１と上部カバー２とからなり、下部容器１の側面全周にわたって外周壁１２を備えると共に、外周壁１２の上部外側全周にわたって侵入口３を設けたことで、下部容器１の外周壁１２に着地したハエを、飛翔昆虫類における負の走地性を利用して、外周壁１２に沿って上方に移動させ、外周壁１２の上部外側全周にわたって設けた侵入口３より内部に引き入れることにより、下部容器１と上部カバー２の内部にハエを良好に誘引し捕獲することができ、ハエの捕獲率を飛躍的に向上させることができる。
【００２５】
なお、下部容器１の内部には前述したような薬剤含浸マット１５を載置する代わりに、醸造酢等の誘引液あるいは水のみを収容して、内部に入り込んだハエを溺死させるようにしても良いし、また、下部容器１の内部である底面壁１０や内周壁１１のそれぞれの表面に粘着剤を塗布して、ここにハエを粘着して捕獲するようにしても良い。さらに、この粘着剤を塗布してハエを粘着して捕獲するタイプにあっては、下部容器１において、前述したような底面壁１０と内周壁１１と外周壁１２とから構成するのではなく、図６に示すように、外周壁１２と上面壁１６とから構成し、この上面壁１６の表面さらには上部カバー２の周壁２０や上面壁２１の内面それぞれに粘着剤１７を塗布して、ここにハエを粘着して捕獲するようにしても良い。なお、粘着剤１７を塗布する箇所にあっては、下部容器１の上面壁１６、上部カバー２の周壁２０や上面壁２１すべてにではなく、その一部のみでも良い。これらについては、後述する第二乃至四の実施形態においても同様である。
【００２６】
次に、本発明による飛翔昆虫類捕獲器の第二の実施形態について説明する。
【００２７】
飛翔昆虫類捕獲器としては、図７、図８、図９、図１０に示すように、基本的には前述の第一の実施形態と同様、上部を開口する下部容器１と、この下部容器１の上部に下部容器１の上方を覆うように取り付ける下部を開口する上部カバー２と、からなる。
【００２８】
この下部容器１にあっては、円形の底面壁１０を備えて、この底面壁１０の縁より縦方向に向かう円筒状の内周壁１１を立設し、この内周壁１１の上部において接続して内周壁１１の外側に配置する縦方向に向かう略円筒状の外周壁１２を設ける。すなわち、下部容器１は、その上部を大きく開口すると共に、側面全周にわたって外周壁１２を備える。この下部容器１の外周壁１２は、下部に向かって少し湾曲して外側に広がったラッパ形状にしている。なお、この外周壁１２の表面全体に、多数の縦溝１３を周方向にわたって連続して設けて、表面を波形にする。
【００２９】
また、下部容器１の内部中央には細長い円筒状の支柱１４を立設すると共に、内部の底面壁１０上には円形リング状の薬剤含浸マット１５を載置して、この薬剤含浸マット１５も前述の第一の実施形態と同様、例えば不織布で、誘引剤と殺虫剤とを含浸させている。
【００３０】
一方、上部カバー２にあっては、連続するようにしてつながる周側面３０と上面３１とから半卵形とする。すなわち、上部カバー２は、その下部を大きく開口する。そして、上部カバー２の上面中央には、垂下する円筒状の嵌合部２４を備え、この嵌合部２４が下部容器１の支柱１４に嵌合するようにしている。また、この上部カバー２の周側面３０には、縦長の上部侵入口２２を周方向にわたって等間隔で５個設ける。なお、この上部侵入口２２の横幅Ｌ２は８ｍｍ程度とし、子供たちの手が入らないようにしている。
【００３１】
そして、このような下部容器１と上部カバー２において、下部容器１の上部に上部カバー２を取り付けた際、この下部容器１における外周壁１２の上部外側と上部カバー２における周側面３０の下部内側との間において水平方向の間隙Ｓを、外周壁１２の外側全周にわたって形成する。そして、この下部容器１と上部カバー２との間に形成した間隙Ｓを、飛翔昆虫類が内部に侵入するための侵入口３とする。すなわち、前述の第一の実施形態と同様、下部容器１における外周壁１２の上部外側全周にわたって侵入口３を設ける。
【００３２】
なお、この侵入口３である間隙Ｓの寸法、あるいは下部容器１と上部カバー２の各種の寸法は、前述の第一の実施形態と同様である。また、下部容器１と上部カバー２の色についても、前述の第一の実施形態と同様である。
【００３３】
これによっても、下部容器１の外周壁１２に着地したハエを、飛翔昆虫類における負の走地性を利用して、外周壁１２に沿って上方に移動させ、外周壁１２の上部外側全周にわたって設けた侵入口３より内部に引き入れることにより、下部容器１と上部カバー２の内部にハエを良好に誘引し捕獲することができ、ハエの捕獲率を飛躍的に向上させることができる。
【００３４】
次に、本発明による飛翔昆虫類捕獲器の第三の実施形態について説明する。
【００３５】
第三の実施形態における飛翔昆虫類捕獲器は、図１１、図１２、図１３に示すように、前述の第一の実施形態における円形の飛翔昆虫類捕獲器を横長円形にしたものであり、上部を開口する中空の横長円柱形状の下部容器１と、この下部容器１の上部に下部容器１の上方を覆うように取り付ける下部を開口する中空の横長円柱形状の上部カバー２と、からなる。
【００３６】
この下部容器１にあっては、横長円形の底面壁１０を備えて、この底面壁１０の縁より縦方向に向かう横長円筒状の内周壁１１を立設し、この内周壁１１の上端において接続して内周壁１１の外側に配置する縦方向に向かう略横長円筒状の外周壁１２を設ける。すなわち、下部容器１は、その上部を大きく開口すると共に、側面全周にわたって外周壁１２を備える。そして、この下部容器１の外周壁１２も、前述の第一の実施形態と略同様、上部に向かって少し内側に向くように傾斜を付けており、その表面全体には多数の縦溝１３を周方向にわたって連続して設けて、表面を波形にする。ただし、この外周壁１２における横である左右両側には傾斜を付けることなく真っ直ぐ上部に向かうようになる垂直部３５を設けている。
【００３７】
また、下部容器１の内部の底面壁１０上には横長円形状の薬剤含浸マット１５を載置して、この薬剤含浸マット１５も前述の第一の実施形態と同様、例えば不織布で、誘引剤と殺虫剤とを含浸させている。
【００３８】
一方、上部カバー２にあっては、横長円筒状の周壁２０を備えて、この周壁２０の上端に上面壁２１を設ける。すなわち、上部カバー２は、その下部を大きく開口する。そして、この上部カバー２の上面壁２１は、窪んだすり鉢状にし、その中央を横長円形状に開口して、この開口した箇所を上部侵入口２２とする。この上部侵入口２２の左右には、垂下する半円筒状の嵌合部２４をそれぞれ備え、この左右の嵌合部２４が下部容器１の内周壁１１における左右の両内側に嵌合するようにし、さらに、上部カバー２の周壁２０における左右両側の下端が下部容器１の外周壁１２における左右両側に設けた垂直部３５の上面に当接するようにしている。また、上部侵入口２２には、左右向かう板状のストッパー片３６を中央に配置しており、このストッパー片３６によってその両側のそれぞれの隙間Ｌ３を８ｍｍ以下として、子供たちの手が入らないようにしている。
【００３９】
そして、このような下部容器１と上部カバー２において、下部容器１の上部に上部カバー２を取り付けた際、この下部容器１における外周壁１２の上部外側と上部カバー２における周壁２０の下部内側との間において水平方向の間隙Ｓを、外周壁１２の外側に形成する。そして、この下部容器１と上部カバー２との間に形成した間隙Ｓを、飛翔昆虫類が内部に侵入するための侵入口３とする。すなわち、前述の第一の実施形態と同様、下部容器１における外周壁１２の上部外側に侵入口３を設ける。
【００４０】
なお、この侵入口３である間隙Ｓの寸法は、前述の第一の実施形態と略同様である。ただし、下部容器１と上部カバー２において、コバエ等のハエ等を対象にするのであれば、前述の第一の実施形態と同様、全体の高さ寸法を１００ｍｍ程度とするが、下部容器１及び上部カバー２の寸法は、前後を５５ｍｍ程度、左右を１０５ｍｍ程度にし、長円形とすることで、薄型タイプの飛翔昆虫類捕獲器にすることができる。また、下部容器１と上部カバー２の色についても、前述の第一の実施形態と同様である。
【００４１】
これによっても、下部容器１の外周壁１２に着地したハエを、飛翔昆虫類における負の走地性を利用して、外周壁１２に沿って上方に移動させ、外周壁１２の上部外側に設けた侵入口３より内部に引き入れることにより、下部容器１と上部カバー２の内部にハエを良好に誘引し捕獲することができ、ハエの捕獲率を飛躍的に向上させることができる。
【００４２】
次に、本発明による飛翔昆虫類捕獲器の第四の実施形態について説明する。
【００４３】
第四の実施形態における飛翔昆虫類捕獲器は、図１４、図１５、図１６に示すように、前述の第一の実施形態における円形の飛翔昆虫類捕獲器を三角形にしたものであり、上部を開口する中空の三角柱形状の下部容器１と、この下部容器１の上部に下部容器１の上方を覆うように取り付ける下部を開口する中空の三角柱形状の上部カバー２と、からなる。
【００４４】
この下部容器１にあっては、三角形の底面壁１０を備えて、この底面壁１０の縁より縦方向に向かう三角筒状の内周壁１１を立設し、この内周壁１１の上端において接続して内周壁１１の外側に配置する縦方向に向かう略三角筒状の外周壁１２を設ける。すなわち、下部容器１は、その上部を大きく開口すると共に、側面全周にわたって外周壁１２を備える。そして、この下部容器１の外周壁１２にあっては、上部に向かって少し内側に向くように傾斜を付けているが、３ヶ所の角部は、傾斜を付けることなく真っ直ぐ上部に向かうようにしている。また、この外周壁１２の表面全体には多数の縦溝１３を周方向にわたって連続して設けて、表面を波形にする。
【００４５】
そして、下部容器１の内部の底面壁１０上には三角形状の薬剤含浸マット１５を載置して、この薬剤含浸マット１５も前述の第一の実施形態と同様、例えば不織布で、誘引剤と殺虫剤とを含浸させている。
【００４６】
一方、上部カバー２にあっては、三角筒状の周壁２０を備えて、この周壁２０の上端に凸状の上面壁２１を設ける。すなわち、上部カバー２は、その下部を大きく開口する。そして、この上部カバー２の上面壁２１には、円形の上部侵入口２２を多数設けるおり、この上部侵入口２２の直径Ｌ４は８ｍｍ程度とし、子供たちの手が入らないようにしている。
【００４７】
なお、下部容器１と上部カバー２の取り付けは、前述した第一乃至第二の実施形態にあっては、下部容器１に立設した支柱１４に、上部カバー２に備えた嵌合部２４を嵌合するようにしているが、本実施形態にあっては、下部容器１の外周壁１２における３ヶ所の角部に、上部カバー２の周壁２０における３ヶ所の角部を嵌合するようにしている。ただし、下部容器１と上部カバー２の取り付けは、これに限定されるものではなく、前述した第一乃至第二の実施形態と同様、下部容器１に支柱１４を立設すると共に、上部カバー２に嵌合部２４を備えて、これらを嵌合するようにしても良い。
【００４８】
そして、このような下部容器１と上部カバー２において、下部容器１の上部に上部カバー２を取り付けた際、この下部容器１における外周壁１２の上部外側と上部カバー２における周壁２０の下部内側との間において水平方向の間隙Ｓを、外周壁１２における３ヶ所の角部を除いた外周壁１２の外側に形成する。そして、この下部容器１と上部カバー２との間に形成した間隙Ｓを、飛翔昆虫類が内部に侵入するための侵入口３とする。すなわち、前述の第一の実施形態と同様、下部容器１における外周壁１２の上部外側に侵入口３を設ける。
【００４９】
なお、この侵入口３である間隙Ｓの寸法等は、前述の第一の実施形態と同様であり、また、下部容器１と上部カバー２の色についても、前述の第一の実施形態と同様である。
【００５０】
これによっても、下部容器１の外周壁１２に着地したハエを、飛翔昆虫類における負の走地性を利用して、外周壁１２に沿って上方に移動させ、外周壁１２の上部外側に設けた侵入口３より内部に引き入れることにより、下部容器１と上部カバー２の内部にハエを良好に誘引し捕獲することができ、ハエの捕獲率を飛躍的に向上させることができる。
【００５１】
次に、本発明による飛翔昆虫類捕獲器における捕獲効果の試験を行ったので、これらについて説明する。
【００５２】
試験として、図１７に示すＡ、Ｂ、Ｃの三つの飛翔昆虫類捕獲器を用いる。Ａは、前述した第二の実施形態で説明した飛翔昆虫類捕獲器である。Ｂは、Ａの飛翔昆虫類捕獲器において、上部カバー２の周側面３０に設ける上部侵入口２２を無くしたものである。Ｃは、Ａの飛翔昆虫類捕獲器において、下部容器１における外周壁１２の上部外側全周にわたって設けた侵入口３を無くしたものである。
【００５３】
これらＡ、Ｂ、Ｃの各飛翔昆虫類捕獲器を、ピートチャンバー（大きさは、縦１．８２ｍ、横１．８２ｍ、高さ１．８２ｍ）内にそれぞれ配置して、このピートチャンバー内に、コバエを５０匹放ち、２４時間経過後、Ａ、Ｂ、Ｃの各飛翔昆虫類捕獲器におけるコバエの捕獲数を数える。これを複数回行って、その平均数を出した。その結果を、以下の表１に示す。
【００５４】
【表１】
0004968842.tif 000002
【００５５】
Ａの飛翔昆虫類捕獲器では捕獲数が平均２２匹、Ｂの飛翔昆虫類捕獲器では捕獲数が平均１８匹、Ｃの飛翔昆虫類捕獲器では捕獲数が平均６匹であった。これらを円グラフにまとめると、以下の表２のようになる。
【００５６】
【表２】
0004968842.tif 000003
【００５７】
表２より明らかなように、Ａの飛翔昆虫類捕獲器では、全体の４４％を捕獲し、また、Ｂの飛翔昆虫類捕獲器でも、全体の３６％を捕獲しているのに対して、Ｃの飛翔昆虫類捕獲器では、全体の１２％しか捕獲していないことがわかる。
【００５８】
これらの結果より、ＡやＢの飛翔昆虫類捕獲器のように、下部容器１における外周壁１２の上部外側全周にわたって侵入口３を設けることで、コバエの捕獲数が極めて高く、この侵入口３が捕獲において著しい効果を上げていることがわかる。しかも、Ａの飛翔昆虫類捕獲器のように、上部カバー２に上部侵入口２２を設けることで、さらに捕獲数が高くなることがわかる。
【図面の簡単な説明】
【００５９】
【図１】本発明の第一の実施形態の飛翔昆虫類捕獲器における正面図である。
【図２】本発明の第一の実施形態の飛翔昆虫類捕獲器における平面図である。
【図３】図２におけるＡ−Ａ断面図である。
【図４】本発明の第一の実施形態の飛翔昆虫類捕獲器における斜視図である。
【図５】図３におけるＢ−Ｂ断面図である。
【図６】本発明の第一の実施形態の飛翔昆虫類捕獲器の変形例における断面図である。
【図７】本発明の第二の実施形態の飛翔昆虫類捕獲器における正面図である。
【図８】本発明の第二の実施形態の飛翔昆虫類捕獲器における平面図である。
【図９】本発明の第二の実施形態の飛翔昆虫類捕獲器における断面図である。
【図１０】本発明の第二の実施形態の飛翔昆虫類捕獲器における斜視図である。
【図１１】本発明の第三の実施形態の飛翔昆虫類捕獲器における右側面図である。
【図１２】本発明の第三の実施形態の飛翔昆虫類捕獲器における平面図である。
【図１３】本発明の第三の実施形態の飛翔昆虫類捕獲器における断面図である。
【図１４】本発明の第四の実施形態の飛翔昆虫類捕獲器における正面図である。
【図１５】本発明の第四の実施形態の飛翔昆虫類捕獲器における平面図である。
【図１６】図１５におけるＣ−Ｃ断面図である。
【図１７】本発明における飛翔昆虫類捕獲器の試験例を示す説明図である。
【符号の説明】
【００６０】
１…下部容器、２…上部カバー、３…侵入口、１０…底面壁、１１…内周壁、１２…外周壁、１３…縦溝、１４…支柱、１５…薬剤含浸マット、１６…上面壁、１７…粘着剤、２０…周壁、２１…上面壁、２２…上部侵入口、２４…嵌合部、３０…周側面、３１…上面、３５…垂直部
【図１】
0004968842.tif 000004
【図２】
0004968842.tif 000005
【図３】
0004968842.tif 000006
【図４】
0004968842.tif 000007
【図５】
0004968842.tif 000008
【図６】
0004968842.tif 000009
【図７】
0004968842.tif 000010
【図８】
0004968842.tif 000011
【図９】
0004968842.tif 000012
【図１０】
0004968842.tif 000013
【図１１】
0004968842.tif 000014
【図１２】
0004968842.tif 000015
【図１３】
0004968842.tif 000016
【図１４】
0004968842.tif 000017
【図１５】
0004968842.tif 000018
【図１６】
0004968842.tif 000019
【図１７】
0004968842.tif 000020